(57)【要約】【課題】  カード状記憶媒体の挿入開口部が見やすく、且つ、カード状記憶媒体の着脱操作性が良い画像処理装置を提供すること。【解決手段】  画像処理装置は、シートに画像を形成する画像形成部１と、原稿の画像を読取る画像読取部２と、画像形成済みのシートが積載される排紙積載部４と、を備える。さらに画像処理装置は、操作部３が排紙積載部４に並ぶように設けられている。カード状の記憶媒体を挿入するカード状記憶媒体挿入開口部５が、操作部３における排紙積載部４側の側面に設けられている。【選択図】  図１
2008306631.tif 000002
【特許請求の範囲】
【請求項１】
シートに画像を記録する画像記録手段が配設される画像記録部と、
原稿の画像を読取る画像読取手段が配設される、前記画像記録部よりも上方に設けられた画像読取部と、
前記画像記録手段によって画像の記録がなされたシートが積載される排紙積載部と、
前記排紙積載部に並設され、操作者が各種の装置の操作を行うための操作部と、
画像データを記憶したカード状の記憶媒体が挿入される記憶媒体挿入開口部と、を有し、
前記記憶媒体挿入開口部が前記操作部における前記排紙積載部側の側面に設けられていることを特徴とする画像処理装置。
【請求項２】
前記操作部は、装置本体に対して水平な回動軸を中心に回動自在に設けられていることを特徴とする請求項１に記載の画像処理装置。
【請求項３】
記憶媒体を挿入する挿入開口部は、大サイズのカード状の記憶媒体に対応した第１の開口部と、前記大サイズのカード状の記憶媒体よりも小さい小サイズのカード状の記憶媒体に対応した第２の開口部と、を有し、前記第１の開口部を前記第２の開口部より下側に設けたことを特徴とする請求項１記載の画像処理装置。
【発明の詳細な説明】
【技術分野】
【０００１】
本発明は、画像を読取る機能と画像をシート上に形成する機能を兼ね備えた、複写機やファクシミリ装置などの画像処理装置に関する。
【背景技術】
【０００２】
従来、この種の画像処理装置においては、図５に示すように、画像記録部の略上方に、原稿を読取る画像読取部と操作者が各種の画像処理操作を行う操作部と前記操作部の手前下側にはカード状記憶媒体の挿入開口部が設けられていた。（例えば、特許文献１参照。）
【特許文献１】特開２００４−２３０７０８号公報
【発明の開示】
【発明が解決しようとする課題】
【０００３】
しかしながら、上記のような構成の場合、操作部が見やすい位置に操作者が位置した場合、カード状記憶媒体の開口挿入部が操作部下方にあるため操作者から見えにくい。さらにカード状記憶媒体の着脱操作性も悪いといった問題点があった。ここで、例えば操作部を水平な回動軸を中心にチルトできる構成であった場合、操作部の角度によっては開口挿入部が他の部材に隠れてしまうという問題点もあった。
【０００４】
そこで本発明は、このような現状に鑑みてなされたものであり、カード状記憶媒体の挿入開口部が見やすく、且つ、カード状記憶媒体の着脱操作性が良い装置を提供することを目的とする。
【課題を解決するための手段】
【０００５】
上記目的を達成するために本発明においては、シートに画像を形成する画像記録手段が配設される画像記録部と、原稿の画像を読取る画像読取手段が配設される、前記画像記録部よりも上方に設けられた画像読取部と、前記画像記録手段によって画像の記録がなされたシートが積載される排紙積載部と、前記排紙積載部に並設され、操作者が各種の装置の操作を行うための操作部と、画像データを記憶したカード状の記憶媒体が挿入される記憶媒体挿入開口部と、を有し、前記記憶媒体挿入開口部が前記操作部における前記排紙積載部側の側面に設けられていることを特徴とする。
【発明の効果】
【０００６】
本発明によれば、カード状の記憶媒体の挿入開口部が見やすく、且つ、カード状記憶媒体の着脱操作性が良い装置を提供することが可能となる。
【発明を実施するための最良の形態】
【０００７】
以下、本発明を適用した画像処理装置の実施形態について、図面を参照して具体的に説明する。まず、図１を参照して画像処理装置全体の構成等について説明する。図１は本発明に係る画像処理装置の外観斜視図である。
【０００８】
図１において、１はシート上に画像の記録を行う画像記録手段が内部に配設された画像記録部である。２は原稿の画像を読取る画像読取手段が内部に配設された画像読取部である。３は操作者が各種の画像処理操作を行う操作部である。操作部３の上面には、ユーザに対して装置の状態などを表示する表示部３ａとユーザが装置を操作するために押下する各種キー３ｂが配設されている。４は、画像記録部１によって画像の記録がなされたシートが積載される排紙積載部である。排紙積載部４は、画像記録部１の上部であって、画像読取部２の下方の空間である。５は、操作部３における排紙積載部側の側面に配設されたカード状記憶媒体が挿入される記憶媒体挿入開口部である。
【０００９】
図２は、操作部３を側面から見た図である。
【００１０】
図２において、記憶媒体挿入開口部５は、第１の開口部５−ａと第２の開口部５−ｂを有する。第１の開口部５−ａと第２の開口部５−ｂはそれぞれ大きさの違うカード状記憶媒体に対応している。第１の開口部５−ａは、第２の開口部５−ｂに挿入される小サイズのカード状記憶媒体より大きな大サイズのカード状記憶媒体に対応している。なお、第１の開口５−ａ部や第２の開口部５−ｂにカード状記憶媒体を挿入させても、カード状記憶媒体は、第１の開口部５−ａ、第２の開口部５−ｂの夫々に完全に入るのではなく、カード状記憶媒体の後端の一部は操作者から見えるような構成である。なお、カード状記憶媒体の後端の一部が完全に開口部５−ａ、５−ｂに挿入されていなくても開口部５−ａ、５−ｂから突出しているカード状記憶媒体の一部は僅かである。したがって、カード状の記憶媒体を挿入した状態であっての排紙積載部４に排出された画像形成済みのシートを取り出すのに邪魔にはならない。
【００１１】
なお、本実施形態では、カード状記憶媒体としてコンパクトフラッシュ（登録商標）カードがカード状記憶媒体挿入開口部５の第１の開口部５−ａに挿入される。またカード状記憶媒体としてのメモリースティック（登録商標）が第２の開口部５−ｂに挿入される。
【００１２】
上記構成において、操作部３は画像記録部１の上方に配設され、また画像読取部２の前方に配設されている。尚且つ、操作部３は、画像処理装置の最前面に設けられている。したがって、操作部３及び操作部３の側面に配設されたカード状記憶媒体挿入開口部５は操作者に対して非常に見やすい位置にある。また、操作部３は、排紙積載部４に隣接するように、排紙積載部４の右方向の位置となるように並設されている。つまり、操作部４の左側面の方向には、排紙積載部４のための大きな空間がある。したがって、カード状記憶媒体挿入開口部５が設けられた操作部４の左側の側面は視認性がよい。このため、カード状記憶媒体挿入開口部５へのカード状記憶媒体の着脱操作性がよい。なお、カード状記憶媒体のうち、大きなカード状記憶媒体が操作者からみて後方に挿入されるため、小さなカード状記憶媒体が見えなくなることはない。
【００１３】
操作部３は、ヒンジ部Ｈによって水平な回動軸を中心に装置本体に対して回動自在である。図３は、操作部３の上面を上に向けた状態の画像処理装置の外観斜視図を示している。図３に示した矢印Ｔの方向に操作部３は可動となっている。図３では、図１の状態の操作部３より、操作部３が水平に近い状態となった状態を示している。この図３の状態でも、カード状記憶媒体挿入開口部５は、図１の位置と殆ど変わらないためカード状記憶媒体の挿入について着脱性が確保されている。
【００１４】
図６は、操作部３を右側からみた側面図である。操作部３の右側面には、電源スイッチ７と、ＵＳＢ挿入部６と、が設けられている。ＵＳＢ挿入部６には、外部機器であるデジタルカメラとの接続のために、デジタルカメラと繋がったＵＳＢ（Ｕｎｉｖｅｒｓａｌ  Ｓｅｒｉａｌ  Ｂｕｓ）端子が接続される。若しくはＵＳＢ挿入部６には、ＵＳＢ端子を備えた携帯可能な記憶メディア（以下、ＵＳＢメモリと呼ぶ）が接続される。
【００１５】
図７は、ＵＳＢ挿入部６にＵＳＢメモリＭを挿入した状態を示した画像処理装置の斜視図である。図７に示したように、ＵＳＢ挿入部６に挿入した状態において、ＵＳＢメモリＭは、ＵＳＢ挿入部６からおおきく突出する。ここで、ＵＳＢ挿入部６を、操作部３における排紙積載部４と反対側の側面に設けている。したがって、ＵＳＢ挿入部６にＵＳＢメモリＭを挿入した状態であっても、排紙積載部４から画像形成済みシートを取り出すときに、挿入されたＵＳＢメモリＭが邪魔になることがない。
【００１６】
画像処理装置は、画像読取部２によって読み取った画像データ、カード状記憶媒体若しくはＵＳＢメモリに記憶されていた画像データ、デジタルカメラからの画像データのいずれかの画像データに基づいて画像記録部１でシートに画像を形成する。いずれの画像データについてシートに画像形成するかは操作部３の上面のキーを操作することでユーザが選択可能である。画像が形成されたシートは排紙積載部４に積載される。
【図面の簡単な説明】
【００１７】
【図１】本発明の実施の形態に係る画像処理装置の外観斜視図である。
【図２】本発明の実施の形態に係る操作部の側面図である。
【図３】本発明の画像処理装置の外観斜視図である。
【図４】従来例を示す画像処理装置の外観斜視図である。
【図５】従来例を示す画像処理装置の外観斜視図である。
【図６】本発明の実施の形態に係る操作部の側面図である。
【図７】本発明の実施の形態に係る画像処理装置の外観斜視図である。
【符号の説明】
【００１８】
１  画像形成部
２  画像読取部
３  操作部
４  排紙積載部
５  記憶媒体挿入開口部
【図１】
2008306631.tif 000003
【図２】
2008306631.tif 000004
【図３】
2008306631.tif 000005
【図４】
2008306631.tif 000006
【図５】
2008306631.tif 000007
【図６】
2008306631.tif 000008
【図７】
2008306631.tif 000009